【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
第１の薬物である薬物Ａ、及び少なくとも１つの他の物質である物質Ｂを摂取する対象者によって経験される効果を検出及びモニタする際に使用する方法であって、
（ａ）前記対象者が薬物Ａ及び物質Ｂを摂取した後の或る期間にわたり前記対象者の生理学的特性の複数の測定値を得るステップと、
（ｂ）前記複数の測定値を、薬物Ａが前記対象者の前記生理学的特性に対して有することが予期される効果を表現する前記第１の薬物に関連する第１の既定の識別特性である薬物Ａの識別特性と比較し、且つそれにより前記測定値と前記薬物Ａの識別特性との差の第１の測度Ａｄｉｆｆを計算するステップであって、Ａｄｉｆｆは物質Ｂがあることで薬物Ａの前記効果がどのように変わるかを表すステップと、
（ｃ）前記複数の測定値を、物質Ｂが前記対象者の前記生理学的特性に対して有することが予期される効果を表現する前記少なくとも１つの他の物質に関連する第２の既定の識別特性である物質Ｂの識別特性と比較し、且つそれにより前記測定値と前記物質Ｂの識別特性との差の第２の測度Ｂｄｉｆｆを計算するステップであって、Ｂｄｉｆｆは薬物Ａがあることで物質Ｂの前記効果がどのように変わるかを表すステップと、
（ｄ）前記複数の測定値を前記対象者の所望の生理学的状態に関連する第３の既定の識別特性であるＤＯ識別特性と比較し、且つそれにより前記測定値と前記ＤＯ識別特性との差の第３の測度ＤＯｄｉｆｆを計算するステップと、
（ｅ）Ａｄｉｆｆ、Ｂｄｉｆｆ、及びＤＯｄｉｆｆを組み合わせて出力を生成するステップと
を含む、方法。
【請求項２】
前記対象者及び／又は医療専門家へのメッセージが前記出力に応じて生成され、前記メッセージは、好ましくは、薬害反応が前記対象者によって経験されている可能性があることを示す情報を含む、請求項１に記載の方法。
【請求項３】
前記第１の薬物Ａの識別特性は、薬物Ａが単独で摂取される場合の前記生理学的特性に関する期待値を含み、
前記第２の物質Ｂの識別特性は、物質Ｂが単独で摂取される場合の前記生理学的特性に関する期待値を含み、及び
前記第３のＤＯ識別特性は、前記対象者に施されている治療が成功する場合に予期されるであろう前記生理学的特性に関する値を含む、請求項１又は２に記載の方法。
【請求項４】
前記複数の測定値を、薬物Ａと物質Ｂとの相互作用が前記対象者の前記生理学的特性に対して有することが予期される効果を表現する薬物Ａと物質Ｂとの間の前記相互作用に関連する第４の既定の識別特性であるＡ−Ｂ間の相互作用の識別特性と比較し、且つそれにより前記複数の測定値と前記Ａ−Ｂ間の相互作用の識別特性との差の第４の測度Ａ−Ｂｄｉｆｆを計算するステップを更に含み、
ステップ（ｅ）は、Ａｄｉｆｆ、Ｂｄｉｆｆ、Ａ−Ｂｄｉｆｆ、及びＤＯｄｉｆｆを組み合わせて前記出力を生成するステップを含む、請求項１乃至３の何れか一項に記載の方法。
【請求項５】
前記第１の測度Ａｄｉｆｆ、前記第２の測度Ｂｄｉｆｆ、及び前記第３の測度ＤＯｄｉｆｆの１つ又は複数について、前記測度が既定の閾値を上回るかどうかを判定するステップを更に含む、請求項１乃至４の何れか一項に記載の方法。
【請求項６】
前記対象者が更なる物質である物質Ｃを更に摂取しており、前記方法が、
前記複数の測定値を、物質Ｃが前記対象者の前記生理学的特性に対して有することが予期される効果を表現する前記更なる物質に関連する第５の既定の識別特性である物質Ｃの識別特性と比較し、且つそれにより前記複数の測定値と前記物質Ｃの識別特性との差の第５の測度Ｃｄｉｆｆを計算するステップであって、Ｃｄｉｆｆは薬物Ａ及び物質Ｂがあることで物質Ｃの前記効果がどのように変わるかを表すステップを更に含み、
ステップ（ｅ）は、Ａｄｉｆｆ、Ｂｄｉｆｆ、Ｃｄｉｆｆ、及びＤＯｄｉｆｆを組み合わせて前記出力を生成するステップを含む、請求項１乃至５の何れか一項に記載の方法。
【請求項７】
前記第１の測度Ａｄｉｆｆ、前記第２の測度Ｂｄｉｆｆ、及び前記第３の測度ＤＯｄｉｆｆの１つ又は複数が複数の差分値を含み、前記複数における各差分値が単一の生理学的特性又は生理学的特性の組に関連する、請求項１乃至６の何れか一項に記載の方法。
【請求項８】
ステップ（ｅ）が、所与の差分値に関連する前記生理学的特性が前記対象者の病歴とどの程度関連しているか、所与の差分値に関連する前記生理学的特性が薬物Ａ及び／又は物質Ｂの予期される前記効果にどの程度関連しているか、所与の差分値に関連する前記生理学的特性の前記測定値の質、所与の差分値に関連する前記生理学的特性の前記測定値の変動のうちの１つ又は複数に基づいて、前記複数における前記差分値のそれぞれに重みを割り当てるステップを含む、請求項７に記載の方法。
【請求項９】
物質Ｂが薬物を含むか、又は物質Ｂが食物を含む、請求項１乃至８の何れか一項に記載の方法。
【請求項１０】
第１の薬物である薬物Ａ及び少なくとも１つの他の物質である物質Ｂを摂取する対象者によって経験される効果を検出及びモニタする際に使用する装置であって、
薬物Ａが前記対象者の生理学的特性に対して有することが予期される効果を表現する前記第１の薬物に関連する第１の既定の識別特性である薬物Ａの識別特性、物質Ｂが前記対象者の前記生理学的特性に対して有することが予期される効果を表現する前記少なくとも１つの他の物質に関連する第２の既定の識別特性である物質Ｂの識別特性、及び前記対象者の所望の生理学的状態に関連する第３の既定の識別特性であるＤＯ識別特性を記憶するメモリと、
前記メモリと通信する制御ユニットであって、
（ｉ）前記対象者が薬物Ａ及び物質Ｂを摂取した後に、前記対象者の１つ又は複数の生理学的特性の複数の測定値をセンサから受信すること、
（ｉｉ）前記受信された複数の測定値を前記第１の薬物Ａの識別特性と比較し、且つそれにより前記複数の測定値と前記薬物Ａの識別特性との差の測度Ａｄｉｆｆを計算することであって、Ａｄｉｆｆは物質Ｂがあることで薬物Ａの前記効果がどのように変わるかを表すこと、
（ｉｉｉ）前記受信された複数の測定値を前記第２の物質Ｂの識別特性と比較し、且つそれにより前記複数の測定値と前記物質Ｂの識別特性との差の測度Ｂｄｉｆｆを計算することであって、Ｂｄｉｆｆは薬物Ａがあることで物質Ｂの前記効果がどのように変わるかを表すこと、
（ｉｖ）前記受信された複数の測定値を前記第３のＤＯ識別特性と比較し、且つそれにより前記複数の測定値と前記ＤＯ識別特性との差の測度ＤＯｄｉｆｆを計算すること、及び
（ｖ）Ａｄｉｆｆ、Ｂｄｉｆｆ、及びＤＯｄｉｆｆを組み合わせて出力を生成すること
を行う、制御ユニットと
を含む、装置。
【請求項１１】
薬物Ａの投与についてのパラメータ及び／又は物質Ｂの投与についてのパラメータを出力に応じて変える、請求項１０に記載の装置を含む薬物投与システム。
【請求項１２】
請求項１０に記載の装置を含む、対象者の生理学的パラメータを検出し、及び警告を制御するための医療器具又はシステムであって、前記警告は前記出力に依存する、医療器具又はシステム。
【請求項１３】
請求項１０に記載の装置を含む携帯電話であって、前記センサは前記携帯電話に含まれるカメラである、携帯電話。
【請求項１４】
通信ネットワークからダウンロード可能であり、且つ／又はコンピュータ可読及び／若しくはマイクロプロセッサ実行可能媒体上に記憶されるコンピュータプログラムにおいて、請求項１に記載の方法を実施するためのプログラムコード命令を含むことを特徴とする、コンピュータプログラム。